【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
サービスから、ユーザが前記サービスのユーザ・アカウントにログインしたことに応じて、前記ユーザ・アカウントにより保持され同期化される、１以上の周辺デバイスの各々のためのデバイス関連付けデータを受信するステップであって、周辺デバイスのための前記デバイス関連付けデータは、該周辺デバイスをコンピューティング・デバイスにどのように接続するかを示すものである、ステップと、
前記１以上の周辺デバイスのうち、前記コンピューティング・デバイスによる使用のために自動的に利用可能にすることができる周辺デバイスを判別するステップと、
前記１以上の周辺デバイスのうち、前記コンピューティング・デバイスによる使用のために自動的には利用可能にすることができない少なくとも１つの周辺デバイスについて、追加のクレデンシャルを提供するためのプロンプトを表示するステップと、
前記１以上の周辺デバイスのうち、前記コンピューティング・デバイスによる使用のために自動的に利用可能にすることができる周辺デバイスだけを、前記コンピューティング・デバイスによる使用のために自動的に利用可能にするステップと、
を含む方法。
【請求項２】
前記コンピューティング・デバイスによる使用のために自動的に利用可能にすることができる周辺デバイスのためのデバイス関連付けデータのコピーに加えて、前記１以上の周辺デバイスのうち、前記コンピューティング・デバイスによる使用のために自動的には利用可能にすることができない少なくとも１つの周辺デバイスのためのデバイス関連付けデータのコピーを、前記コンピューティング・デバイス上で保持するステップ
をさらに含む、請求項１記載の方法。
【請求項３】
前記コンピューティング・デバイスによる使用のために自動的には利用可能にすることができない前記少なくとも１つの周辺デバイスのインジケーションを表示するステップと、
該少なくとも１つの周辺デバイスのインストールを許可するユーザ入力に応答して、前記コンピューティング・デバイス上に前記少なくとも１つの周辺デバイスをインストールするステップと、
をさらに含む、請求項２記載の方法。
【請求項４】
少なくとも１つの周辺デバイスのための前記デバイス関連付けデータは、該少なくとも１つの周辺デバイスにより、前記サービスに提供されたものである、請求項１記載の方法。
【請求項５】
前記判別することは、どの周辺デバイスを前記コンピューティング・デバイスによる使用のために自動的には利用可能にすることができないかを識別するための１以上のルールを適用することを含み、前記自動的に利用可能にすることは、前記コンピューティング・デバイスによる使用のために自動的には利用可能にすることができない周辺デバイスを除いた前記１以上の周辺デバイスを、前記コンピューティング・デバイスによる使用のために自動的に利用可能にすることを含む、請求項１記載の方法。
【請求項６】
前記サービスから、前記１以上の周辺デバイスのうちの少なくとも１つの周辺デバイスのためのデバイス使用データを受信するステップであって、周辺デバイスのための前記デバイス使用データは、該周辺デバイスのための特定の設定を識別するものである、ステップと、
前記コンピューティング・デバイス上にインストールされている該少なくとも１つの周辺デバイスに前記特定の設定を適用するステップと、
をさらに含む、請求項１記載の方法。
【請求項７】
前記サービスから、前記１以上の周辺デバイスのうちの少なくとも１つの周辺デバイスのためのデバイス関連付けデータに対する変更を受信するステップと、
前記コンピューティング・デバイス上で保持されている、該少なくとも１つの周辺デバイスのための前記デバイス関連付けデータを、前記変更に基づいて更新するステップと、
をさらに含む、請求項１記載の方法。
【請求項８】
前記サービスから、前記１以上の周辺デバイスのうちの少なくとも１つの周辺デバイスが削除されたというインジケーションを受信するステップと、
該少なくとも１つの周辺デバイスを、前記コンピューティング・デバイスによる使用のために利用可能にしなくするステップと、
をさらに含む、請求項１記載の方法。
【請求項９】
コンピューティング・デバイスであって、
周辺デバイスのためのデバイス関連付けデータを記憶するデータ記憶部であって、周辺デバイスのための前記デバイス関連付けデータは、前記コンピューティング・デバイスが該周辺デバイスにどのように接続するかを示すものである、データ記憶部と、
デバイス関連付けデータ同期化モジュールであって、
サービスから、ユーザが前記サービスのユーザ・アカウントにログインしたことに応じて、前記ユーザ・アカウントにより保持され同期化される、複数の周辺デバイスの各々のためのデバイス関連付けデータを受信し、
前記複数の周辺デバイスのうち、前記コンピューティング・デバイスによる使用のために自動的に利用可能にすることができる周辺デバイスを判別し、
前記複数の周辺デバイスのうち、前記コンピューティング・デバイスによる使用のために自動的に利用可能にすることができる周辺デバイスを、前記コンピューティング・デバイスによる使用のために自動的に利用可能にし、
周辺デバイスが、前記コンピューティング・デバイスによる使用のために自動的には利用可能にすることはできないが、前記コンピューティング・デバイスによる使用のために利用可能にすることができることに応じて、前記コンピューティング・デバイスによる使用のために利用可能にされるものとして該周辺デバイスを示すレコードを生成する
よう構成されているデバイス関連付けデータ同期化モジュールと、
を備えたコンピューティング・デバイス。
【請求項１０】
コンピューティング・デバイスから、サービスのユーザ・アカウントにログインするステップと、
前記サービスから、前記ユーザ・アカウントにより保持され同期化される、１以上の周辺デバイスの各々のためのデバイス関連付けデータを受信するステップであって、周辺デバイスのための前記デバイス関連付けデータは、該周辺デバイスにどのように接続するかを示すものであり、少なくとも１つの周辺デバイスのための前記デバイス関連付けデータは、さらなるコンピューティング・デバイスにより、前記さらなるコンピューティング・デバイスが前記さらなるコンピューティング・デバイスにおいて前記少なくとも１つの周辺デバイスに接続した結果として、前記サービスに提供されたものである、ステップと、
前記１以上の周辺デバイスのうち、前記コンピューティング・デバイス上に自動的にインストールすることができる周辺デバイスを判別するステップと、
前記コンピューティング・デバイスと前記サービスと前記さらなるコンピューティング・デバイスとの間で、前記１以上の周辺デバイスのための前記デバイス関連付けデータの変更を同期化するステップと、
前記１以上の周辺デバイスのうち、前記コンピューティング・デバイス上に自動的にインストールすることができる周辺デバイスだけを、前記コンピューティング・デバイス上自動的にインストールし、前記コンピューティング・デバイス上に自動的にインストールすることができる周辺デバイスのためのデバイス関連付けデータのコピーに加えて、前記１以上の周辺デバイスのうち、前記コンピューティング・デバイス上に自動的にはインストールすることができない少なくとも１つの周辺デバイスのためのデバイス関連付けデータのコピーを、前記コンピューティング・デバイス上で保持するステップと、
を含む方法。